(57)【要約】      （修正有）【課題】より簡単な構成で、より簡単に使用者の頭に合わせて使用できる防護面を提供する。【解決手段】防護面１１は、バンド部２１およびシールド部２２からなる。バンド部２１は、弾性を有する素材から成形される。バンド部２１の両側の端部側は、それぞれ平板の帯状とされる。バンド部２１の一方の端部側である端部５１側には、複数の孔６１−１〜６１−１１が所定の間隔で設けられている。バンド部２１の他方の端部である端部５２には、バンド部２１の長手方向に端部から突出している、孔６１−１〜６１−１１に挿入可能なへら状の第１の突起である突起６２が設けられている。バンド部２１の他方の端部側には、他方の端部から孔６１−１〜６１−１１の間隔と同じ距離だけ離れた位置に、バンド部２１の長手方向において、突起６２が突出している向きと離れる向きに突出している、孔６１−１〜６１−１１に挿入可能なへら状の第２の突起である突起７１が設けられている。【選択図】図２
0003228996.tif 000002
【実用新案登録請求の範囲】
【請求項１】
飛沫から使用者の顔を保護する、透明の素材から成形されているシールド部と、前記使用者の頭の前頭部、側頭部および後頭部に巻き付けて装着され、前記シールド部を使用者の顔の前に保持するバンド部とからなる防護面において、
前記バンド部は、弾性を有する素材から成形され、
前記バンド部の両側の端部側は、それぞれ平板の帯状とされ、
前記バンド部の一方の端部側には、複数の孔が所定の間隔で設けられ、
前記バンド部の他方の端部には、前記バンド部の長手方向に端部から突出している、前記孔に挿入可能なへら状の第１の突起が設けられ、
前記バンド部の他方の端部側には、他方の端部から前記孔の間隔と同じ距離または前記孔の間隔に２乃至１０の整数を乗じた距離だけ離れた位置に、前記バンド部の長手方向において、前記第１の突起が突出している向きと離れる向きに突出している、前記孔に挿入可能なへら状の第２の突起が設けられ、
前記第２の突起が複数の前記孔のうちの1つに挿入されて係止され、前記第１の突起が複数の前記孔のうちの前記第２の突起が挿入されている前記孔とは異なる前記孔に挿入されて係止されると、前記バンド部の両側の端部側が互いに留められて前記バンド部が輪状になる
防護面。
【請求項２】
請求項１に記載の防護面において、
前記バンド部または前記シールド部の縁は、波状とされている
防護面。
【請求項３】
請求項１に記載の防護面において、
前記第１の突起および前記第２の突起は、それぞれ、舌先状とされている
防護面。
【請求項４】
請求項１に記載の防護面において、
前記第１の突起および前記第２の突起の外縁は、それぞれ、円周の弧状とされている
防護面。
【請求項５】
請求項１に記載の防護面において、
前記第２の突起は、円周の弧状の孔が開けられることにより、外縁が円周の弧状に形成されている
防護面。
【請求項６】
請求項１に記載の防護面において、
前記バンド部の長手方向に前記第２の突起が突出する長さは、前記バンド部の長手方向に前記第１の突起が突出する長さより長い
防護面。
【請求項７】
請求項１に記載の防護面において、
前記バンド部の一方の端部側に形成されている複数の孔は、それぞれ、前記バンド部の長さ方向に直交する方向に長い形状に形成されている
防護面。
【請求項８】
請求項１に記載の防護面において、
前記シールド部の上側の左右端側に、それぞれ、丸孔が形成され、
前記シールド部の前記丸孔のそれぞれに対応する位置であって、前記バンド部における位置のそれぞれに、前記丸穴の径に対して所定の比率の長さだけ離れて、弧が互いに離れる向きの円弧状の２つの孔が形成され、
２つの円弧状の前記孔のそれぞれで形成される凸状側と凹状側とで１つの前記丸孔の縁を挟み込むことで、回動自在に前記バンド部が前記シールド部を保持する
防護面。
【請求項９】
請求項８に記載の防護面において、
前記シールド部の丸穴の近傍に位置決め孔が形成され、
前記バンド部に、２つの円弧状の前記孔に対して所定の角度をなす位置に２つの第３の突起が形成され、
前記第３の突起のいずれかが前記位置決め孔の縁に当たることで、前記シールド部を開いた状態および閉じた状態のそれぞれで、前記バンド部に対する前記シールド部の角度位置が保持される
防護面。
【請求項１０】
請求項１に記載の防護面において、
前記シールド部および前記バンド部は、それぞれ、樹脂で成形されている
防護面。
【請求項１１】
請求項１に記載の防護面において、
前記シールド部および前記バンド部は、それぞれ、ポリエチレンテレフタレートで成形されている
防護面。
【考案の詳細な説明】
【技術分野】
【０００１】
本考案は防護面に関し、特に、飛沫から使用者の顔を保護する防護面に関する。
【背景技術】
【０００２】
ウィルスや細菌を含む飛沫から使用者の顔を保護するために防護面が使用されている。防護面は、フェイスシールドやフェイスガードなどとも称されている。
【０００３】
従来、弾性を有する湾曲体と、湾曲体の外面に取り付けられる複数の係止体と、係止体に支持されると共に、係止させて湾曲状に保持される透明性を有する面材とを備えるフェイスガードが提案されている（例えば、特許文献１参照）。
【先行技術文献】
【特許文献】
【０００４】
【特許文献１】特開２００９−１８９５４３号公報
【考案の概要】
【考案が解決しようとする課題】
【０００５】
しかしながら、フェイスガードは、使用者の頭の大きさが使用者によって異なり、これに対応するために、使用者に装着するための構成が複雑になってしまう。
【０００６】
本考案は、このような状況に鑑みてなされたものであり、より簡単な構成で、より簡単に使用者の頭に合わせて使用できるようにするものである。
【課題を解決するための手段】
【０００７】
本考案の第１の側面の防護面は、飛沫から使用者の顔を保護する、透明の素材から成形されているシールド部と、使用者の頭の前頭部、側頭部および後頭部に巻き付けて装着され、シールド部を使用者の顔の前に保持するバンド部とからなる防護面であって、バンド部は、弾性を有する素材から成形され、バンド部の両側の端部側は、それぞれ平板の帯状とされ、バンド部の一方の端部側には、複数の孔が所定の間隔で設けられ、バンド部の他方の端部には、バンド部の長手方向に端部から突出している、孔に挿入可能なへら状の第１の突起が設けられ、バンド部の他方の端部側には、他方の端部から孔の間隔と同じ距離または孔の間隔に２乃至１０の整数を乗じた距離だけ離れた位置に、バンド部の長手方向において、第１の突起が突出している向きと離れる向きに突出している、孔に挿入可能なへら状の第２の突起が設けられ、第２の突起が複数の孔のうちの1つに挿入されて係止され、第１の突起が複数の孔のうちの第２の突起が挿入されている孔とは異なる孔に挿入されて係止されると、バンド部の両側の端部側が互いに留められてバンド部が輪状になる。
【０００８】
本考案の第１の側面においては、バンド部は、弾性を有する素材から成形され、バンド部の両側の端部側は、それぞれ平板の帯状とされ、端部側に第１の突起および第２の突起と複数の孔とが設けられているだけなので、より簡単な構成とすることができる。また、バンド部の一方の端部側に、所定の数の孔を所定の間隔で設けることで、第２の突起が複数の孔のうちの1つに挿入されて係止され、第１の突起が複数の孔のうちの第２の突起が挿入されている孔とは異なる孔に挿入されて係止されると、バンド部の両側の端部側が互いに留められてバンド部が輪状になるので、第１の突起および第２の突起が挿入される孔を変えることで、輪状になったバンド部の径を簡単に調整することができる。また、使用者の頭の前頭部、側頭部および後頭部に巻き付けた状態で、第２の突起を複数の孔のうちの1つに挿入して係止し、その状態を維持したまま、第１の突起を複数の孔のうちの第２の突起が挿入されている孔とは異なる孔に挿入して係止すると、簡単に、バンド部をその使用者の頭の大きさに合った径の輪状にすることができる。このように、より簡単な構成で、より簡単に使用者の頭に合わせて使用できる。
【０００９】
バンド部またはシールド部の縁を、波状とすることができる。
【００１０】
第１の突起および第２の突起を、それぞれ、舌先状とすることができる。
【００１１】
第１の突起および第２の突起の外縁を、それぞれ、円周の弧状とすることができる。
【００１２】
第２の突起を、円周の弧状の孔が開けられることにより、外縁が円周の弧状に形成することができる。
【００１３】
バンド部の長手方向に第２の突起が突出する長さを、バンド部の長手方向に第１の突起が突出する長さより長くすることができる。
【００１４】
バンド部の一方の端部側に形成されている複数の孔を、それぞれ、バンド部の長さ方向に直交する方向に長い形状に形成することができる。
【００１５】
シールド部の上側の左右端側に、それぞれ、丸孔を形成し、シールド部の丸孔のそれぞれに対応する位置であって、バンド部における位置のそれぞれに、丸穴の径に対して所定の比率の長さだけ離れて、弧が互いに離れる向きの円弧状の２つの孔を形成し、２つの円弧状の孔のそれぞれで形成される凸状側と凹状側とで１つの丸孔の縁を挟み込むことで、回動自在にバンド部にシールド部を保持させることができる。
【００１６】
シールド部の丸穴の近傍に位置決め孔を形成し、バンド部に、２つの円弧状の孔に対して所定の角度をなす位置に２つの第３の突起を形成し、第３の突起のいずれかが位置決め孔の縁に当たることで、シールド部を開いた状態および閉じた状態のそれぞれで、バンド部に対するシールド部の角度位置を保持させることができる。
【００１７】
シールド部およびバンド部を、それぞれ、樹脂で成形することができる。
【００１８】
シールド部およびバンド部を、それぞれ、ポリエチレンテレフタレートで成形することができる。
【考案の効果】
【００１９】
以上のように、本考案の第１の側面によれば、より簡単な構成で、より簡単に使用者の頭に合わせて使用できる。
【図面の簡単な説明】
【００２０】
【図１】防護面１１の使用状態を示す図である。
【図２】バンド部２１およびシールド部２２の展開図である。
【図３】帯状部４１の一方の端部５１と他方の端部５２との留め方を説明する図である。
【図４】帯状部４１の一方の端部５１と他方の端部５２との留め方を説明する図である。
【図５】バンド部２１によるシールド部２２の回動自在の保持について説明する図である。
【図６】バンド部２１によるシールド部２２の回動自在の保持について説明する図である。
【図７】シールド部２２が開かれた防護面１１の使用状態を示す図である。
【図８】バンド部２１によるシールド部２２の回動自在の保持について説明する図である。
【図９】バンド部２１によるシールド部２２の回動自在の保持について説明する図である。
【考案を実施するための形態】
【００２１】
以下に本考案の実施の形態を説明するが、本考案の構成要件と、考案の詳細な説明に記載の実施の形態との対応関係を例示すると、次のようになる。この記載は、本考案をサポートする実施の形態が、考案の詳細な説明に記載されていることを確認するためのものである。従って、考案の詳細な説明中には記載されているが、本考案の構成要件に対応する実施の形態として、ここには記載されていない実施の形態があったとしても、そのことは、その実施の形態が、その構成要件に対応するものではないことを意味するものではない。逆に、実施の形態が構成要件に対応するものとしてここに記載されていたとしても、そのことは、その実施の形態が、その構成要件以外の構成要件には対応しないものであることを意味するものでもない。
【００２２】
本考案の第１の側面の防護面（例えば、図２の防護面１１）は、飛沫から使用者の顔を保護する、透明の素材から成形されているシールド部（例えば、図２のシールド部２２）と、使用者の頭の前頭部、側頭部および後頭部に巻き付けて装着され、シールド部を使用者の顔の前に保持するバンド部（例えば、図２のバンド部２１）とからなる防護面であって、バンド部は、弾性を有する素材から成形され、バンド部の両側の端部側は、それぞれ平板の帯状とされ、バンド部の一方の端部側（例えば、図２の端部５１側）には、複数の孔（例えば、図２の孔６１−１乃至６１−１１）が所定の間隔で設けられ、バンド部の他方の端部（例えば、図２の端部５２）には、バンド部の長手方向に端部から突出している、孔に挿入可能なへら状の第１の突起（例えば、図２の突起６２）が設けられ、バンド部の他方の端部側には、他方の端部から孔の間隔と同じ距離または孔の間隔に２乃至１０の整数を乗じた距離だけ離れた位置に、バンド部の長手方向において、第１の突起が突出している向きと離れる向きに突出している、孔に挿入可能なへら状の第２の突起（例えば、図２の突起７１）が設けられ、第２の突起が複数の孔のうちの1つに挿入されて係止され、第１の突起が複数の孔のうちの第２の突起が挿入されている孔とは異なる孔に挿入されて係止されると、バンド部の両側の端部側が互いに留められてバンド部が輪状になる。
【００２３】
以下、図１乃至図９を参照して、本考案の実施の形態の防護面１１を説明する。
【００２４】
図１は、防護面１１の使用状態を示す図である。防護面１１は、使用者の頭に装着されて、ウィルスや細菌などを含む飛沫や粉末などから使用者の顔を保護する。防護面１１は、バンド部２１およびシールド部２２からなる。バンド部２１は、使用者の頭の前頭部、側頭部および後頭部に巻き付けて装着され、シールド部２２を使用者の顔の前に保持する。シールド部２２は、透明の素材から形成され、ウィルスや細菌などを含む飛沫や粉末などから使用者の顔を保護する。シールド部２２は、透明の素材から成形されているので、使用者の視界を妨げない。
【００２５】
バンド部２１およびシールド部２２は、アクリル（ポリメタクリル酸メチル樹脂）、ポリエチレンテレフタレート、ポリプロピレン、またはポリカーボネートなどの樹脂の平板から成形されている。
【００２６】
防護面１１、すなわち、バンド部２１およびシールド部２２は、樹脂の平板から抜型による抜き加工により成形することができる。この場合、波刃（ウェーブ刃）を用いて、バンド部２１またはシールド部２２の縁を、波状とすることができる。このようにすることで、押さえた手からバンド部２１またはシールド部２２が滑りにくくなるので、バンド部２１またはシールド部２２が持ちやすくなり、また、バンド部２１またはシールド部２２の縁で手などを切りにくくなる。
【００２７】
図２は、樹脂の平板から抜かれたバンド部２１およびシールド部２２の形状を示す図である。図２は、バンド部２１およびシールド部２２の展開図ということもできる。なお、以下、図２における右側を、単に、右側とも称し、図２における左側を、単に、左側とも称し、図２における上側を、単に、上側とも称し、図２における下側を、単に、下側とも称する。また、以下、図２における左右方向を、単に、横方向とも称し、図２における上下方向を、単に、縦方向とも称する。
【００２８】
バンド部２１は、弾性を有する素材から成形されている。例えば、バンド部２１は、アクリル（ポリメタクリル酸メチル樹脂）、ポリエチレンテレフタレート、ポリプロピレン、またはポリカーボネートなどの樹脂からなる。シールド部２２は、透明の素材から成形されている。例えば、シールド部２２は、透明のアクリル（ポリメタクリル酸メチル樹脂）、ポリエチレンテレフタレート、ポリプロピレン、またはポリカーボネートなどの樹脂からなる。なお、バンド部２１の素材とシールド部２２の素材とは、同じものであっても良く、異なるものであっても良い。
【００２９】
バンド部２１は、帯状部４１、額あて４２およびスペーサ４３からなる。帯状部４１は、使用者の頭の前頭部、側頭部および後頭部に巻き付けられて、バンド部２１、すなわち防護面１１を使用者の頭に止める。また、帯状部４１は、シールド部２２を回動自在に保持する。帯状部４１は、左右方向、すなわちバンド部２１の長手方向に長い。言い換えれば、バンド部２１の長手方向と帯状部４１の長手方向とは同じである。額あて４２は、帯状部４１が使用者の頭に巻き付けられた場合、使用者の額にあてられる。なお、額あて４２の面のうち、使用者の額にあたる面側に、布を貼ったり、植毛したりすることができる。
【００３０】
スペーサ４３は、額あて４２から帯状部４１を離し、帯状部４１と額あて４２との間隔を調整する。スペーサ４３によって、使用者の顔の前側の帯状部４１の部分が使用者の顔から離れるので、これにより、シールド部２２が使用者の鼻に当接することがなく、汚れることがない。
【００３１】
バンド部２１の帯状部４１の一方の端部５１は、平板の帯状とされている。例えば、端部５１は、帯状部４１の図２中の右側の端部である。帯状部４１の一方の端部５１側には、孔６１−１乃至６１−１１が設けられている。孔６１−１乃至６１−１１は、同じ形状とされている。孔６１−１乃至６１−１１は、バンド部２１（帯状部４１）の長さ方向に所定の間隔で設けられている。孔６１−１乃至６１−１１のバンド部２１（帯状部４１）の長さ方向の間隔は、等しい。すなわち、孔６１−１と孔６１−２の間隔、孔６１−２と孔６１−３の間隔、孔６１−３と孔６１−４の間隔、孔６１−４と孔６１−５の間隔、孔６１−５と孔６１−６の間隔、孔６１−６と孔６１−７の間隔、孔６１−７と孔６１−８の間隔、孔６１−８と孔６１−９の間隔、孔６１−９と孔６１−１０の間隔および孔６１−１０と孔６１−１１の間隔は、等しい。孔６１−１乃至６１−１１は、長円状の長孔とされている。より詳細には、孔６１−１乃至６１−１１は、バンド部２１の長さ方向に直交する方向に長い形状に形成されている。孔６１−１乃至６１−１１のバンド部２１の長さ方向の幅は、間隔に対して狭く、また、孔６１−１乃至６１−１１の間を押して変形させた場合に、後述する突起６２または突起７１を孔６１−１乃至６１−１１のいずれかに挿入しやすい幅とされている。また、孔６１−１乃至６１−１１の長手方向の端部の位置は、揃えられている。なお、以下、孔６１−１乃至６１−１１を個々に区別する必要がないとき、単に、孔６１と称する。なお、孔６１−１乃至６１−１１は、四角状の孔とすることもできるし、バンド部２１（帯状部４１）の長さ方向に隙間のない孔とすることもできる。このように、孔６１は、所定の間隔で設けられる。
【００３２】
バンド部２１の帯状部４１の他方の端部５２は、平板の帯状とされている。例えば、端部５２は、帯状部４１の図２中の左側の端部である。帯状部４１の他方の端部５２には、突起６２が設けられている。突起６２は、バンド部２１の長手方向に端部５２から突出している。また、突起６２は、孔６１−１乃至６１−１１のいずれにも挿入可能なへら状とされている。突起６２は、舌状とされていると言うこともできる。また、言い換えれば、突起６２の外縁は、円周の弧状とされている。
【００３３】
帯状部４１の他方の端部５２側には、凸側が端部５１側を向いている円周の弧状の孔６３が形成されている。これにより、帯状部４１の他方の端部５２側には、突起７１が設けられている。突起７１は、端部５２から孔６１−１乃至６１−１１の間隔（隣接する孔６１の距離）と同じ距離だけ離れた位置に設けられている。より詳細には、端部５２から突起７１の左側、言い換えれば、突起６２の後端（突起６２の根元／付け根）の位置から突起７１の後端（突起７１の根元／付け根）の位置までの距離は、孔６１−１乃至６１−１１の間隔（隣接する孔６１の距離）と同じとされている。ここで、所定の孔６１の中心位置であって、バンド部２１の長手方向における中心位置から、所定の孔６１に隣接する孔６１の中心位置であって、バンド部２１の長手方向における中心位置までの距離を孔６１の間隔とすることができる。また、所定の孔６１の中心位置であって、バンド部２１の長手方向における中心位置と、所定の孔６１に隣接する孔６１の縁であって、所定の孔６１の中心位置からバンド部２１の長手方向に離れた縁との距離を孔６１の間隔とするようにしてもよい。
【００３４】
突起６２の後端の位置から突起７１の後端の位置までの距離は、隣接する孔６１のそれぞれの縁のうち、互いに左右方向に離れた２つの縁の距離、すなわち、隣接する孔６１のそれぞれの左右方向の中心位置の距離に１つの孔６１の幅であって、バンド部２１の左右方向の幅を加えた長さよりも短くされる。また、突起６２の先端の位置から突起７１の後端の位置までの距離は、隣接する孔６１のそれぞれの縁のうち、互いに左右方向に離れた２つの縁の距離、すなわち、隣接する孔６１のそれぞれの左右方向の中心位置の距離に１つの孔６１の幅であって、バンド部２１の左右方向の幅を加えた長さよりも長くされる。
【００３５】
また、突起７１は、孔６１−１乃至６１−１１のいずれにも挿入可能なへら状とされている。これにより、孔６１−１乃至６１−１１のうち、隣接する孔６１に、突起６２と突起７１とを挿入できる。
【００３６】
なお、突起７１は、端部５２から孔６１−１乃至６１−１１の間隔（隣接する孔６１の間隔）の２倍乃至１０倍の距離だけ離れた位置に設けるようにしてもよい。すなわち、突起７１は、端部５２から孔６１−１乃至６１−１１の間隔（隣接する孔６１の間隔）に２乃至１０の整数を乗じた距離だけ離れた位置に設けるようにしてもよい。より詳細には、端部５２から突起７１の左側、言い換えれば、突起６２の後端の位置から突起７１の後端の位置までの距離は、孔６１−１乃至６１−１１の間隔（隣接する孔６１の間隔）に２乃至１０の整数を乗じた距離である。この場合、孔６１−１乃至６１−１１のうち、異なる孔６１に、突起６２と突起７１とを挿入できる。
【００３７】
突起７１は、舌状とされていると言うこともできる。また、言い換えれば、突起７１の外縁は、円周の弧状とされている。突起７１は、円周の弧状の孔６３が開けられることにより、外縁が円周の弧状に形成される。
【００３８】
突起６２は、図２中の左側に突出しているのに対して、突起７１は、図２中の右側に突出している。すなわち、突起７１は、バンド部２１の長手方向において、突起６２が突出している向きと離れる向きに突出している。バンド部２１の長手方向に突起７１が突出する長さは、バンド部２１の長手方向に突起６２が突出する長さより長い。
【００３９】
帯状部４１には、孔６５−１、孔６６−１−１および６６−１−２並びに孔６８−１が形成されている。また、帯状部４１には、孔６５−２、孔６６−２−１および６６−２−２並びに孔６８−２が形成されている。孔６５−１、孔６６−１−１および６６−１−２並びに孔６８−１と孔６５−２、孔６６−２−１および６６−２−２並びに孔６８−２とは、バンド部２１の長手方向に直交する向きの直線状の軸に対して線対称に形成されている。孔６６−１−１および６６−１−２と孔６６−２−１および６６−２−２との距離は、シールド部２２の丸孔９１−１と丸孔９１−２との距離と概ね同じとされている。
【００４０】
バンド部２１の長手方向において、孔６６−１−１および６６−１−２と孔６６−２−１および６６−２−２との距離を２等分する位置と、シールド部２２の丸孔９１−１と丸孔９１−２との距離を２等分する位置と、額あて４２の長さを２等分する位置と、スペーサ４３の部分のうち、スペーサ４３が帯状部４１および額あて４２につながる部分の左右方向の中心位置とは、一致している。すなわち、防護面１１が使用者の頭に装着された場合、孔６６−１−１および６６−１−２と孔６６−２−１および６６−２−２との距離を２等分する位置と、シールド部２２の丸孔９１−１と丸孔９１−２との距離を２等分する位置と、額あて４２の長さを２等分する位置と、スペーサ４３がスペーサ４３および額あて４２につながる部分の中心位置とは、使用者の顔の中心の位置の近傍に配置される。
【００４１】
孔６５−１は、図２中において孔６１−１１に対して左側であって、孔６１−１１から所定の距離をおいた位置に形成されている。孔６５−１は、バンド部２１の長手方向に直交する向きに長い概ね直線状の孔である。孔６５−１は、後述する差込部８３−１が挿入可能な長さとされている。孔６５−１は、図２中の左右に幅（隙間）のない切れ込みとして形成されている。
【００４２】
孔６６−１−１および孔６６−１−２は、図２中において孔６５−１に対して左側に形成されている。孔６６−１−１および孔６６−１−２は、バンド部２１の長手方向の向きの直線状の軸に対して線対称に配置されている。孔６６−１−１は、孔６６−１−２の上側に配置され、孔６６−１−１と孔６６−１−２との左右方向の位置は一致している。孔６６−１−１は、突出している側が図２中の上側を向いている円弧状に形成されている。孔６６−１−２は、突出している側が図２中の下側を向いている円弧状に形成されている。すなわち、孔６６−１−１および孔６６−１−２は、弧が互いに離れる向きの円弧状の孔である。孔６６−１−１および孔６６−１−２は、丸孔９１−１の径に対して所定の比率の距離だけ離れている。孔６６−１−１および孔６６−１−２は、それぞれ、隙間のない切れ込みとして形成されている。
【００４３】
孔６６−１−１は、突出している側が図２中の上側を向いている円弧状に形成されているので、孔６６−１−１の下側の凸状部７３−１−１は、上向きに突出した凸状に上側（凹状部７４−１−１）と切り離されて、また、孔６６−１−１の上側の凹状部７４−１−１は、上向きに陥没した凹状に下側（凸状部７３−１−１）と切り離される。同様に、孔６６−１−２は、突出している側が図２中の下側を向いている円弧状に形成されているので、孔６６−１−２の上側の凸状部７３−１−２は、下向きに突出した凸状に下側（凹状部７４−１−２）と切り離されて、また、孔６６−１−２の下側の凹状部７４−１−２は、下向きに陥没した凹状に上側（凸状部７３−１−２）と切り離される。
【００４４】
突起６７−１は、帯状部４１の上の縁であって、孔６６−１−１の上側に、図２中において左側が低い概ね台形状に形成されている。突起６７−１の右側の縁は、概ね垂直の直線状に形成されている。
【００４５】
孔６８−１は、図２中において孔６６−１−１および孔６６−１−２に対して左側に形成されている。孔６８−１は、左右が反転したフの字状に形成されている。孔６８−１は、所定の一定の隙間のある孔として形成されている。使用者の頭に装着される場合に帯状部４１が輪状にされて曲げられると、孔６８−１によって形成された、左右が反転したフの字状の突起７２−１の左端が帯状部４１の面から図２中の手前側に起き上がることになる。突起７２−１の上側の縁は、概ね水平の直線状に形成されている。突起７２−１の左下側の縁は、左上がりに形成されている。
【００４６】
なお、突起７２−１の形状は、突起６７−１の形状に対して、孔６６−１−１および孔６６−１−２に周が接する円の中心を中心とする点対称の形状とされている。突起７２−１と突起６７−１との角度は、６０度乃至９０度とされている。例えば、突起７２−１と突起６７−１との角度は、８０度とされている。
【００４７】
孔６５−２は、図２中において孔６３に対して右側であって、孔６３から所定の距離をおいた位置に形成されている。孔６５−２は、バンド部２１の長手方向に直交する向きに長い概ね直線状の孔である。孔６５−２は、後述する差込部８３−２が挿入可能な長さとされている。孔６５−２は、図２中の左右に幅（隙間）のない切れ込みとして形成されている。
【００４８】
孔６６−２−１および孔６６−２−２は、図２中において孔６５−２に対して右側に、形成されている。孔６６−２−１および孔６６−２−２は、バンド部２１の長手方向の向きの直線状の軸に対して線対称に配置されている。孔６６−２−１は、孔６６−２−２の上側に配置され、孔６６−２−１と孔６６−２−２との左右方向の位置は一致している。孔６６−２−１は、突出している側が図２中の上側を向いている円弧状に形成されている。孔６６−２−２は、突出している側が図２中の下側を向いている円弧状に形成されている。すなわち、孔６６−２−１および孔６６−２−２は、弧が互いに離れる向きの円弧状の孔である。孔６６−２−１および孔６６−２−２は、丸孔９１−１の径に対して所定の比率の距離だけ離れている。孔６６−２−１および孔６６−２−２は、それぞれ、隙間のない切れ込みとして形成されている。
【００４９】
孔６６−２−１は、突出している側が図２中の上側を向いている円弧状に形成されているので、孔６６−２−１の下側の凸状部７３−２−１は、上向きに突出した凸状に上側（凹状部７４−２−１）と切り離されて、また、孔６６−２−１の上側の凹状部７４−２−１は、上向きに陥没した凹状に下側（凸状部７３−２−１）と切り離される。同様に、孔６６−２−２は、突出している側が図２中の下側を向いている円弧状に形成されているので、孔６６−２−２の上側の凸状部７３−２−２は、下向きに突出した凸状に下側（凹状部７４−２−２）と切り離されて、また、孔６６−２−２の下側の凹状部７４−２−２は、下向きに陥没した凹状に上側（凸状部７３−２−２）と切り離される。
【００５０】
突起６７−２は、帯状部４１の上の縁であって、孔６６−２−１の上側に、図２中において右側が低い概ね台形状に形成されている。突起６７−２の左側の縁は、概ね垂直の直線状に形成されている。
【００５１】
孔６８−２は、図２中において孔６６−１−１および孔６６−１−２に対して右側に形成されている。孔６８−２は、フの字状に形成されている。孔６８−２は、所定の一定の隙間のある孔として形成されている。使用者の頭に装着される場合に帯状部４１が輪状にされて曲げられると、孔６８−２によって形成された、フの字状の突起７２−２の左端が帯状部４１の面から図２中の手前側に起き上がることになる。突起７２−２の上側の縁は、概ね水平の直線状に形成されている。突起７２−２の右下側の縁は、右上がりに形成されている。
【００５２】
なお、突起７２−２の形状は、突起６７−２の形状に対して、孔６６−２−１および孔６６−２−２に周が接する円の中心を中心とする点対称の形状とされている。突起７２−２と突起６７−２との角度は、６０度乃至９０度とされている。突起７２−２と突起６７−２との角度は、突起７２−１と突起６７−１との角度と同じとされている。例えば、突起７２−２と突起６７−２との角度は、８０度とされている。
【００５３】
額あて４２は、図２中において左右に長い帯状に形成されている。額あて４２の左右方向の長さは、孔６５−１と孔６５−２との距離より短くされている。額あて４２の図２中の右側の端部には、半円状の差込部８３−１が形成されている。額あて４２の図２中の左側の端部には、半円状の差込部８３−２が形成されている。
【００５４】
スペーサ４３は、図２中において左右に長い帯状に形成されている。スペーサ４３の図２中の右側の端部には、円弧状の差込部８１が形成されている。スペーサ４３の図２中の右側の端部側であって、右側の端部から所定の距離の位置に、切れ込み８２が形成されている。スペーサ４３には、図２中の左右方向の所定の位置に図２中の縦長の浅溝が形成されている。スペーサ４３が、浅溝で折られて、スペーサ４３の右側の端部が、図２中の奥側から左側に巻き込まれて、さらに、スペーサ４３の図２中の左側の端部が、スペーサ４３の右側の端部によって、図２中の手前側から被せられた状態で、差込部８１を切れ込み８２にさし込むと、スペーサ４３は、三角柱状になる。
【００５５】
スペーサ４３を三角柱状にした後、額あて４２の半円状の差込部８３−１を孔６５−１に挿入し、額あて４２の半円状の差込部８３−２を孔６５−２に挿入すると、スペーサ４３によって、帯状部４１と額あて４２との間隔が調整される。
【００５６】
次に、シールド部２２について説明する。図２中において、シールド部２２の左右の端部のそれぞれの上側は、それぞれ、左右に張り出した形状とされている。図２中において、シールド部２２の下側は、角が緩やかな円弧でつながれた概ね四角の形状とされている。
【００５７】
シールド部２２の右の端部の上側には、丸孔９１−１が設けられている。丸孔９１−１は、円形に形成されている。丸孔９１−１の径は、孔６６−１−１の上端部と孔６６−１−２の下端部との距離より短く、孔６６−１−１の下端部と孔６６−１−２の上端部との距離より長い。すなわち、丸孔９１−１の径は、孔６６−１−１と孔６６−１−２との距離に対して所定の比率の長さとされている。言い換えれば、孔６６−１−１および孔６６−１−２は、丸孔９１−１の径に対して所定の比率の長さだけ離れて形成されている。丸孔９１−１の左側には、丸孔９１−１から所定の距離だけ離れた位置に、位置決め孔９２−１が設けられている。丸孔９１−１と位置決め孔９２−１との距離は、孔６６−１−１および孔６６−１−２と孔６８−１との距離と同じとされている。位置決め孔９２−１は、下側が丸く円弧状とされている概ね四角状の孔である。
【００５８】
シールド部２２の左の端部の上側には、丸孔９１−２が設けられている。丸孔９１−２は、円形に形成されている。丸孔９１−２の径は、孔６６−２−１の上端部と孔６６−２−２の下端部との距離より短く、孔６６−２−１の下端部と孔６６−２−２の上端部との距離より長い。すなわち、丸孔９１−２の径は、孔６６−２−１と孔６６−２−２との距離に対して所定の比率の長さとされている。言い換えれば、孔６６−２−１および孔６６−２−２は、丸孔９１−２の径に対して所定の比率の長さだけ離れて形成されている。丸孔９１−２の右側には、丸孔９１−２から所定の距離だけ離れた位置に、位置決め孔９２−２が設けられている。丸孔９１−２と位置決め孔９２−２との距離は、孔６６−２−１および孔６６−２−２と孔６８−２との距離と同じとされている。位置決め孔９２−２は、下側が丸く円弧状とされている概ね四角状の孔である。
【００５９】
丸孔９１−１と丸孔９１−２との左右方向の距離は、孔６６−１−１および６６−１−２から孔６６−２−１および６６−２−２までの左右方向の距離と同じとされている。また、位置決め孔９２−１と位置決め孔９２−２との左右方向の距離は、孔６８−１と孔６８−２との左右方向の距離と同じとされている。
【００６０】
これにより、詳細は後述するが、丸孔９１−１と孔６６−１−１および６６−１−２と並びに丸孔９１−２と孔６６−２−１および６６−２−２とで、バンド部２１がシールド部２２を回動自在に保持することができる。また、位置決め孔９２−１と孔６８−１および突起６７−１と並びに位置決め孔９２−２と孔６８−２および突起６７−２とで、バンド部２１がシールド部２２の角度位置を保持することができる。
【００６１】
次に、図３および図４を参照して、帯状部４１の一方の端部５１と他方の端部５２との留め方を説明する。図３（Ａ）は、帯状部４１の一方の端部５１と帯状部４１の他方の端部５２との表側、すなわち、図２に表される側を示し、図３（Ｂ）は、帯状部４１の一方の端部５１と帯状部４１の他方の端部５２との表側に対向する面側である裏側を示す。同様に、図４（Ａ）は、帯状部４１の一方の端部５１と帯状部４１の他方の端部５２との表側を示し、図４（Ｂ）は、帯状部４１の一方の端部５１と帯状部４１の他方の端部５２との裏側を示す。
【００６２】
突起７１は、孔６１−１乃至６１−１０のうちの1つに挿入されて係止される。例えば、図３に示されるように、突起７１は、孔６１−３に挿入されて係止される。
【００６３】
次に、突起７１が、孔６１−１乃至６１−１０のうちの1つに挿入されて係止されたままで、突起６２が孔６１−２乃至６１−１１のうちの突起７１が挿入されている孔６１−１乃至６１−１０のいずれかに隣接する孔６１−２乃至６１−１１のいずれかに挿入されて係止される。例えば、図４に示されるように、突起７１は、孔６１−３に挿入されて係止されたままで、突起６２が孔６１−４に挿入されて係止される。
【００６４】
突起７１は、端部５２から孔６１−１乃至６１−１１の間隔と同じ距離だけ離れた位置に設けられているので、突起７１が、孔６１−１乃至６１−１０のうちの1つに挿入されて係止された場合、突起６２の位置は孔６１−２乃至６１−１１のいずれかの位置に配置されることになり、バンド部２１が弾性を有する素材から成形されているので、帯状部４１の一方の端部５１と突起６２とを指で押すなどすることにより、突起６２を孔６１−２乃至６１−１１のいずれかに挿入できる。
【００６５】
突起７１は、バンド部２１の長手方向において、突起６２が突出している向きと離れる向きに突出しているので、突起７１および突起６２が孔６１−１乃至６１−１１のうちの隣接する孔６１にそれぞれ挿入されると、弾性を有する素材から成形されているバンド部２１の張りにより、比較的強固に、バンド部２１の端部５１および端部５２が互いに留められる。バンド部２１の端部５１および端部５２が互いに留められると、バンド部２１は輪状になる。
【００６６】
突起７１が、端部５２から孔６１−１乃至６１−１１の間隔（隣接する孔６１の距離）に２乃至１０の整数を乗じた距離だけ離れた位置に設けられている場合、突起７１および突起６２が、孔６１−１乃至６１−１１のうちの異なる孔６１にそれぞれ挿入される。例えば、突起７１が、端部５２から孔６１−１乃至６１−１１の間隔（隣接する孔６１の距離）の２倍の距離だけ離れた位置に設けられている場合、突起７１は、孔６１−３に挿入されて係止されたままで、突起６２が孔６１−５に挿入されて係止される。この場合、端部５１側と端部５２側とが重なる長さがより長くなるので、より張りを持たせて、バンド部２１の端部５１および端部５２を互いに留めることができる。好ましくは、端部５２から突起７１までの距離は、孔６１の間隔と同じかまたは孔６１の間隔（隣接する孔６１の距離）に２乃至５の整数を乗じた距離である。なお、端部５２から突起７１までの距離が、孔６１の間隔に１１以上の整数を乗じた距離だけ離れると、設けられた孔６１の数に対して使用できる孔６１の数が少なくなり、輪状になったバンド部２１の径の調整しろが短くなって使いにくくなる。
【００６７】
孔６１−１乃至６１−１１のうち、突起７１および突起６２が挿入される孔６１を変えることで、輪状になったバンド部２１の径を簡単に調整することができる。
【００６８】
また、バンド部２１の長手方向に突起７１が突出する長さが、バンド部２１の長手方向に突起６２が突出する長さより長いので、突起７１と端部５２とを指で挟んで持つなどすれば、突起７１が、孔６１−１乃至６１−１０のうちの1つに挿入されて係止された状態を簡単に維持することができる。
【００６９】
使用者の頭の前頭部、側頭部および後頭部に巻き付けた状態で、突起７１を孔６１−１乃至６１−１０のうちの1つに挿入して係止し、その状態を維持したまま、突起６２を孔６１−２乃至６１−１１のいずれかのうちの突起７１が挿入されている孔６１とは異なる孔６１に挿入して係止すると、簡単に、バンド部２１をその使用者の頭の大きさに合った径の輪状にすることができる。
【００７０】
バンド部２１またはシールド部２２の縁を、波状とした場合、バンド部２１が持ちやすくなるので、突起６２および突起７１のそれぞれを孔６１のいずれかに挿入しやすくなる。
【００７１】
次に、図５および図６を参照して、バンド部２１によるシールド部２２の回動自在の保持について説明する。図５（Ａ）は、シールド部２２の丸孔９１−１と帯状部４１の孔６６−１−１および６６−１−２との表側、すなわち、図２に表される側を示し、図５（Ｂ）は、シールド部２２の丸孔９１−１と帯状部４１の孔６６−１−１および６６−１−２との表側に対向する面側である裏側を示す。同様に、図６（Ａ）は、シールド部２２の丸孔９１−２と帯状部４１の孔６６−２−１および６６−２−２との表側を示し、図６（Ｂ）は、シールド部２２の丸孔９１−２と帯状部４１の孔６６−２−１および６６−２−２との裏側を示す。
【００７２】
図５に示されるように、帯状部４１の孔６６−１−１で形成される凸状部７３−１−１および凹状部７４−１−１並びに孔６６−１−２で形成される凸状部７３−１−２および凹状部７４−１−２は、シールド部２２の丸孔９１−１の縁を挟み込むことで、バンド部２１は、回動自在にシールド部２２の右上側を保持する。このように、円弧状の孔６６−１−１および円弧状の孔６６−１−２のそれぞれで形成される凸状側と凹状側とで丸孔９１−１の縁を挟み込むことで、回動自在にバンド部２１がシールド部２２を保持する。
【００７３】
図１に示されるように、シールド部２２が使用者の顔の前に保持される場合、図５に示されるように、帯状部４１の突起７２−１の上側の縁が、位置決め孔９２−１の上側の縁に当たることで、シールド部２２が閉じられた状態で、バンド部２１に対するシールド部２２の角度位置が保持される。
【００７４】
同様に、図６に示されるように、帯状部４１の孔６６−２−１で形成される凸状部７３−２−１および凹状部７４−２−１並びに孔６６−２−２で形成される凸状部７３−２−２および凹状部７４−２−２は、シールド部２２の丸孔９１−２の縁を挟み込むことで、バンド部２１は、回動自在にシールド部２２の左上側を保持する。このように、円弧状の孔６６−２−１および円弧状の孔６６−２−２のそれぞれで形成される凸状側と凹状側とで丸孔９１−２の縁を挟み込むことで、回動自在にバンド部２１がシールド部２２を保持する。
【００７５】
図１に示されるように、シールド部２２が使用者の顔の前に保持される場合、図６に示されるように、帯状部４１の突起７２−２の上側の縁が、位置決め孔９２−２の上側の縁に当たることで、シールド部２２が閉じられた状態で、バンド部２１に対するシールド部２２の角度位置が保持される。
【００７６】
図７は、シールド部２２が開かれた防護面１１の使用状態を示す図である。防護面１１を使用者の頭に装着した状態で、シールド部２２の下側が持ち上げられると、シールド部２２が開かれる。
【００７７】
図８および図９を参照して、バンド部２１によるシールド部２２の回動自在の保持について説明する。図８（Ａ）は、シールド部２２の丸孔９１−１と帯状部４１の孔６６−１−１および６６−１−２との表側、すなわち、図２に表される側を示し、図８（Ｂ）は、シールド部２２の丸孔９１−１と帯状部４１の孔６６−１−１および６６−１−２との表側に対向する面側である裏側を示す。同様に、図９（Ａ）は、シールド部２２の丸孔９１−２と帯状部４１の孔６６−２−１および６６−２−２との表側を示し、図９（Ｂ）は、シールド部２２の丸孔９１−２と帯状部４１の孔６６−２−１および６６−２−２との裏側を示す。
【００７８】
帯状部４１の孔６６−１−１で形成される凸状部７３−１−１および凹状部７４−１−１並びに孔６６−１−２で形成される凸状部７３−１−２および凹状部７４−１−２が、シールド部２２の丸孔９１−１の縁を挟み込み、また、帯状部４１の孔６６−２−１で形成される凸状部７３−２−１および凹状部７４−２−１並びに孔６６−２−２で形成される凸状部７３−２−２および凹状部７４−２−２が、シールド部２２の丸孔９１−２の縁を挟み込み、さらに、丸孔９１−１および丸孔９１−２が円形に形成されているので、シールド部２２は、丸孔９１−１および丸孔９１−２を軸に回動させることができ、シールド部２２の下側を持ち上げられると、シールド部２２が開かれる。
【００７９】
また、突起７２−１の左下側の縁は、左上がりに形成され、位置決め孔９２−１の下側が丸く円弧状とされているので、シールド部２２が開かれて、シールド部２２が帯状部４１に対して回動しても、位置決め孔９２−１の下側の縁が突起７２−１の左下側の縁を帯状部４１側に押すので、突起７２−１が位置決め孔９２−１の回動を妨げることがない。同様に、突起７２−２の右下側の縁は、右上がりに形成され、位置決め孔９２−２の下側が丸く円弧状とされているので、シールド部２２が開かれて、シールド部２２が帯状部４１に対して回動しても、位置決め孔９２−２の下側の縁が突起７２−２の右下側の縁を帯状部４１側に押すので、突起７２−２が位置決め孔９２−２の回動を妨げることがない。
【００８０】
図７に示されるように、シールド部２２が開かれた場合、図８に示されるように、帯状部４１の突起６７−１の左側の縁が、位置決め孔９２−１の上側の縁に当たることで、シールド部２２が開かれた状態で、バンド部２１に対するシールド部２２の角度位置が保持される。同様に、図７に示されるように、シールド部２２が開かれた場合、図９に示されるように、帯状部４１の突起６７−２の右側の縁が、位置決め孔９２−２の上側の縁に当たることで、シールド部２２が開かれた状態で、バンド部２１に対するシールド部２２の角度位置が保持される。
【００８１】
なお、防護面１１、すなわち、バンド部２１およびシールド部２２は、抜型による抜き加工に限らず、レーザー、カッティングマシン（カッティングプロッター）若しくは高圧の水による抜き加工またはプレス加工による抜き加工により成形することができる。また、バンド部２１は、樹脂の平板から成形されていると説明したが、紙で成形するようにしてもよい。
【００８２】
このように、防護面１１は、飛沫から使用者の顔を保護する、透明の素材から成形されているシールド部２２と、使用者の頭の前頭部、側頭部および後頭部に巻き付けて装着され、シールド部２２を使用者の顔の前に保持するバンド部２１とからなる。バンド部２１は、弾性を有する素材から成形される。バンド部２１の両側の端部側は、それぞれ平板の帯状とされる。バンド部２１の一方の端部側である端部５１側には、複数の孔６１が所定の間隔で設けられている。バンド部２１の他方の端部である端部５２には、バンド部２１の長手方向に端部から突出している、孔６１に挿入可能なへら状の第１の突起である突起６２が設けられている。バンド部２１の他方の端部側には、他方の端部から孔６１の間隔と同じ距離または孔６１の間隔に２乃至１０の整数を乗じた距離だけ離れた位置に、バンド部２１の長手方向において、突起６２が突出している向きと離れる向きに突出している、孔６１に挿入可能なへら状の第２の突起である突起７１が設けられている。突起７１が孔６１のうちの1つに挿入されて係止され、突起６２が孔６１のうちの突起７１が挿入されている孔６１とは異なる孔６１に挿入されて係止されると、バンド部２１の両側の端部側が互いに留められてバンド部２１が輪状になる。
【００８３】
バンド部２１は、弾性を有する素材から成形され、バンド部２１の端部５１側および端部５２側は、それぞれ平板の帯状とされ、端部５２側に突起６２および突起７１および端部５１側に複数の孔６１が設けられているだけなので、より簡単な構成とすることができる。また、バンド部２１の端部５１側に、所定の数の孔６１を所定の間隔で設けることで、突起７１が複数の孔６１のうちの1つに挿入されて係止され、突起６２が複数の孔６１のうちの突起７１が挿入されている孔６１とは異なる孔６１に挿入されて係止されると、バンド部２１の両側の端部側が互いに留められてバンド部２１が輪状になるので、突起６２および突起７１が挿入される孔６１を変えることで、輪状になったバンド部２１の径を簡単に調整することができる。また、使用者の頭の前頭部、側頭部および後頭部に巻き付けた状態で、突起７１を複数の孔６１のうちの1つに挿入して係止し、その状態を維持したまま、突起６２を複数の孔６１のうちの突起７１が挿入されている孔６１とは異なる孔６１に挿入して係止すると、簡単に、バンド部２１をその使用者の頭の大きさに合った径の輪状にすることができる。このように、より簡単な構成で、より簡単に使用者の頭に合わせて使用できる。
【００８４】
バンド部２１またはシールド部２２の縁を、波状とすることができる。
【００８５】
突起６２および突起７１を、それぞれ、舌先状とすることができる。
【００８６】
突起６２および突起７１の外縁を、それぞれ、円周の弧状とすることができる。
【００８７】
突起７１を、円周の弧状の孔が開けられることにより、外縁が円周の弧状に形成することができる。
【００８８】
バンド部２１の長手方向に突起７１が突出する長さを、バンド部２１の長手方向に突起６２が突出する長さより長くすることができる。
【００８９】
バンド部２１の一方の端部側に形成されている孔６１を、それぞれ、バンド部２１の長さ方向に直交する方向に長い形状に形成することができる。
【００９０】
シールド部２２の上側の左右端側に、それぞれ、丸孔９１−１および丸孔９１−２のそれぞれを形成し、シールド部２２の丸孔９１−１および丸孔９１−２のそれぞれに対応する位置であって、バンド部２１における位置のそれぞれに、丸孔９１−１および丸孔９１−２の径に対して所定の比率の長さだけ離れて、弧が互いに離れる向きの円弧状の２つの孔である孔６６−１−１および６６−１−２並びに円弧状の２つの孔である孔６６−２−１および６６−２−２を形成し、円弧状の２つの孔である孔６６−１−１および６６−１−２のそれぞれで形成される凸状側と凹状側とまたは円弧状の２つの孔である孔６６−２−１および６６−２−２のそれぞれで形成される凸状側と凹状側とで丸孔９１−１および丸孔９１−２のいずれか１つの縁を挟み込むことで、回動自在にバンド部２１にシールド部２２を保持させることができる。
【００９１】
シールド部２２の丸孔９１−１および丸孔９１−２のそれぞれの近傍に位置決め孔９２−１および位置決め孔９２−２のそれぞれを形成し、バンド部２１に、円弧状の２つの孔である孔６６−１−１および６６−１−２または円弧状の２つの孔である孔６６−２−１および６６−２−２のいずれかに対して所定の角度をなす位置に２つの第３の突起である突起６７−１および突起７２−１または突起６７−２および突起７２−２のいずれかを形成し、突起６７−１および突起７２−１または突起６７−２および突起７２−２のいずれかが位置決め孔９２−１および位置決め孔９２−２のいずれかの縁に当たることで、シールド部２２を開いた状態および閉じた状態のそれぞれで、バンド部２１に対するシールド部２２の角度位置を保持させることができる。
【００９２】
シールド部２２およびバンド部２１を、それぞれ、樹脂で成形することができる。
【００９３】
シールド部２２およびバンド部２１を、それぞれ、ポリエチレンテレフタレートで成形することができる。
【００９４】
また、本考案の実施の形態は、上述した実施の形態に限定されるものではなく、本考案の要旨を逸脱しない範囲において種々の変更が可能である。
【符号の説明】
【００９５】
１１  防護面，  ２１  バンド部，  ２２  シールド部，  ４１  帯状部，  ４２  額あて，  ４３  スペーサ，  ５１および５２  端部，  ６１および６１−１乃至６１−１１  孔，  ６２  突起，  ６３  孔，  ６５−１および６５−２，６６−１−１，６６−１−２，６６−２−１および６６−２−２並びに６８−１および６８−２  孔，  ６７−１および６７−２，７１並びに７２−１および７２−２  突起，  ７３−１−１，７３−１−２，７３−２−１および７３−２−２  凸状部，  ７４−１−１，７４−１−２，７４−２−１および７４−２−２  凹状部，  ８１  差込部，  ８２  切れ込み，  ８３−１および８３−２  差込部，  ９１−１および９１−２  丸孔，  ９２−１および９２−２  位置決め孔
【図１】
0003228996.tif 000003
【図２】
0003228996.tif 000004
【図３】
0003228996.tif 000005
【図４】
0003228996.tif 000006
【図５】
0003228996.tif 000007
【図６】
0003228996.tif 000008
【図７】
0003228996.tif 000009
【図８】
0003228996.tif 000010
【図９】
0003228996.tif 000011
【手続補正書】
【提出日】令和2年8月17日(2020.8.17)
【手続補正１】
【補正対象書類名】実用新案登録請求の範囲
【補正対象項目名】請求項８
【補正方法】変更
【補正の内容】
【請求項８】
請求項１に記載の防護面において、
前記シールド部の上側の左右端側に、それぞれ、丸孔が形成され、
前記シールド部の前記丸孔のそれぞれに対応する位置であって、前記バンド部における位置のそれぞれに、前記丸孔の径に対して所定の比率の長さだけ離れて、弧が互いに離れる向きの円弧状の２つの孔が形成され、
２つの円弧状の前記孔のそれぞれで形成される凸状側と凹状側とで１つの前記丸孔の縁を挟み込むことで、回動自在に前記バンド部が前記シールド部を保持する
防護面。
【手続補正２】
【補正対象書類名】実用新案登録請求の範囲
【補正対象項目名】請求項９
【補正方法】変更
【補正の内容】
【請求項９】
請求項８に記載の防護面において、
前記シールド部の丸孔の近傍に位置決め孔が形成され、
前記バンド部に、２つの円弧状の前記孔に対して所定の角度をなす位置に２つの第３の突起が形成され、
前記第３の突起のいずれかが前記位置決め孔の縁に当たることで、前記シールド部を開いた状態および閉じた状態のそれぞれで、前記バンド部に対する前記シールド部の角度位置が保持される
防護面。
【手続補正３】
【補正対象書類名】明細書
【補正対象項目名】００１５
【補正方法】変更
【補正の内容】
【００１５】
シールド部の上側の左右端側に、それぞれ、丸孔を形成し、シールド部の丸孔のそれぞれに対応する位置であって、バンド部における位置のそれぞれに、丸孔の径に対して所定の比率の長さだけ離れて、弧が互いに離れる向きの円弧状の２つの孔を形成し、２つの円弧状の孔のそれぞれで形成される凸状側と凹状側とで１つの丸孔の縁を挟み込むことで、回動自在にバンド部にシールド部を保持させることができる。
【手続補正４】
【補正対象書類名】明細書
【補正対象項目名】００１６
【補正方法】変更
【補正の内容】
【００１６】
シールド部の丸孔の近傍に位置決め孔を形成し、バンド部に、２つの円弧状の孔に対して所定の角度をなす位置に２つの第３の突起を形成し、第３の突起のいずれかが位置決め孔の縁に当たることで、シールド部を開いた状態および閉じた状態のそれぞれで、バンド部に対するシールド部の角度位置を保持させることができる。